(57)【要約】      （修正有）【課題】製鉄所や鉱山等で一般的に使われているベルトコンベアに適用されてベルトに付着した付着物を除去するワイヤロープ式のベルトクリーナ装置に於て、付着物の除去効率を向上させると共に、除去片の損傷やワイヤロープの切断が防止でき、それでいて設置スペースが小さくて済む様にする。【解決手段】ワイヤロープ２、固定手段３、除去片４、鍔付弾性ブッシュ５とで構成し、とりわけ、ワイヤロープ２と除去片４間に位置される筒部とこれの片側に連設されて隣接する除去片４間に位置される鍔部とを備えた鍔付弾性ブッシュ５を設ける。【選択図】図１
2007145494.tif 000002
【特許請求の範囲】
【請求項１】
ベルトの送り方向に対して所定角度だけ傾斜して配されたワイヤロープと、ワイヤロープを固定側に緊張して固定する為の固定手段と、ワイヤロープに挿通されてベルトに接触して付着物を除去し得る多数の除去片と、ワイヤロープと除去片間に位置される筒部とこれの片側に連設されて隣接する除去片間に位置される鍔部とを備えた鍔付弾性ブッシュと、から構成した事を特徴とベルトクリーナ装置。
【請求項２】
固定手段は、固定側に調整移動可能に設けられてワイヤロープの一端を引張る為の引き棒と、引き棒の先部にこれに並列固定されてワイヤロープの一端が挿通される筒体と、筒体に対してワイヤロープの抜け止めを行う為の抜け止め具と、筒体とワイヤロープ間に位置される筒部とこれの片側に連設されて筒体と抜け止め具間に位置される鍔部とを備えた鍔付弾性ブッシュと、を具有している請求項１に記載のベルトクリーナ装置。
【請求項３】
除去片は、側面が略平行四辺形を呈し、中央にはワイヤロープが挿通される貫孔が穿設されていると共に、ベルトに接触する側とその反対側には凹部が形成されている請求項１に記載のベルトクリーナ装置。
【請求項４】
除去片は、側面が略へ字型を呈し、中央にはワイヤロープが挿通される貫孔が穿設されていると共に、ベルトに接触する側には凹部が形成されている請求項１に記載のベルトクリーナ装置。
【発明の詳細な説明】
【技術分野】
【０００１】
本発明は、例えば製鉄所や鉱山等で一般的に使われているベルトコンベアに適用されてベルトに付着した付着物を除去するワイヤロープ式のベルトクリーナ装置の改良に関する。
【背景技術】
【０００２】
従来、この種のベルトクリーナ装置としては、次の様なものが知られている。
（１）  ベルトの送り方向に対して斜めに配された二本のワイヤロープを備えたもの（特許文献１参照）。
（２）  ベルトの送り方向に対して斜めに配された単一のワイヤロープと、これに挿通されてベルトに接触する適数の除去片とを備えたもの（特許文献２参照）。
（３）  ベルトの送り方向に対して斜めに配された複数のワイヤロープと、これに挿通される複数の弾性体と、各弾性体に付設されてベルトに接触する除去片とを備えたもの（特許文献３の図１〜図５参照）。
【特許文献１】実開昭５４−４７７８４号公報
【特許文献２】特開２００４−３３１３９３号公報
【特許文献３】特開２００５−２５５３７５号公報
【発明の開示】
【発明が解決しようとする課題】
【０００３】
然しながら、前記（１）は、構造が非常に簡単であるものの、ベルトに接触するワイヤロープの断面が円形であるので、付着物を的確に除去する事ができず、付着物の除去効率が芳しくなかった。
【０００４】
前記（２）は、除去片を使用するので、そのエッジに依り付着物の除去効率が優れているものの、隣接する除去片同士や各除去片とこれに挿通されたワイヤロープが直接接触するので、除去片が損傷したりワイヤロープが切断し易い難点があった。
【０００５】
前記（３）は、弾性体が設けられているので、除去片の損傷やワイヤロープの切断を防止できるものの、弾性体に除去片を付設せねばならないので、手間が掛かって製作が容易でないと共に、弾性体が除去片の外側にあるので、それだけ装置全体が嵩高になって大きな設置スペースが必要であった。
【０００６】
つまり、何れのものも、一長一短があって、付着物の除去効率に優れていると共に、除去片の損傷やワイヤロープの切断が防止でき、然も大きな設置スペースを必要としないものがなかった。
【０００７】
本発明は、叙上の問題点に鑑み、これを解消する為に創案されたもので、その課題とする処は、付着物の除去効率に優れていると共に、除去片の損傷やワイヤロープの切断が防止でき、それでいて大きな設置スペースを必要としないベルトクリーナ装置を提供するにある。
【課題を解決するための手段】
【０００８】
本発明のベルトクリーナ装置は、基本的には、ベルトの送り方向に対して所定角度だけ傾斜して配されたワイヤロープと、ワイヤロープを固定側に緊張して固定する為の固定手段と、ワイヤロープに挿通されてベルトに接触して付着物を除去し得る多数の除去片と、ワイヤロープと除去片間に位置される筒部とこれの片側に連設されて隣接する除去片間に位置される鍔部とを備えた鍔付弾性ブッシュと、から構成した事に特徴が存する。
【０００９】
多数の除去片は、ベルトに接触されてベルトの送り方向に対向する端縁に依りベルトに付着された付着物が掻き取られて除去される。隣接する除去片間には、鍔付弾性ブッシュの鍔部に依り隙間が形成されているので、掻取抵抗が減少される。隙間は、ベルトの送り方向に対して所定角度だけ傾斜して形成されているので、斑なく掻取る事ができ、掻取能力が低下される事がない。ワイヤロープの可撓性と鍔付弾性ブッシュの弾性に依り各除去片がベルトに弾力的に接触されるので、ベルトの全範囲に亘って均一な掻取効果を発揮する事ができる。
【００１０】
各除去片のワイヤロープ挿通箇所には、鍔付弾性ブッシュが設けられているので、各除去片がワイヤロープに直接接触しないと共に、隣接する除去片同士も直接接触せず、除去片が損傷したりワイヤロープが切断する事がない。
【００１１】
鍔付弾性ブッシュは、各除去片のワイヤロープ挿通箇所に設けられているので、製作が容易であると共に、装置全体が嵩張る事がなく、この為に大きな設置スペースを必要としない。
【００１２】
固定手段は、固定側に調整移動可能に設けられてワイヤロープの一端を引張る為の引き棒と、引き棒の先部にこれに並列固定されてワイヤロープの一端が挿通される筒体と、筒体に対してワイヤロープの抜け止めを行う為の抜け止め具と、筒体とワイヤロープ間に位置される筒部とこれの片側に連設されて筒体と抜け止め具間に位置される鍔部とを備えた鍔付弾性ブッシュと、を具有しているのが好ましい。この様にすれば、例えば引き棒の先部に直径方向に穿設された貫孔にワイヤロープの一端を挿通した後に抜け止め具に依り抜け止めする場合に比べて、ワイヤロープが直角に折り曲げられる事がないので、ワイヤロープの切断を防止できる。筒体には鍔付弾性ブッシュが設けられてワイヤロープや抜け止め具が筒体に直接接触しない様にしたので、これらの損傷を防止する事ができる。
【００１３】
除去片は、側面が略平行四辺形を呈し、中央にはワイヤロープが挿通される貫孔が穿設されていると共に、ベルトに接触する側とその反対側には凹部が形成されているのが好ましい。この様にすれば、除去片の二つの側に依り付着物の除去を行う事ができるので、極めて効率的である。
【００１４】
除去片は、側面が略へ字型を呈し、中央にはワイヤロープが挿通される貫孔が穿設されていると共に、ベルトに接触する側には凹部が形成されているのが好ましい。この様にすれば、凹部を一側だけに形成しているので、それだけ強度が低下する事がない。
【発明の効果】
【００１５】
本発明に依れば、次の様な優れた効果を奏する事ができる。
（１）  ワイヤロープ、固定手段、除去片、鍔付弾性ブッシュとで構成し、とりわけ、ワイヤロープと除去片間に位置される筒部とこれの片側に連設されて隣接する除去片間に位置される鍔部とを備えた鍔付弾性ブッシュを設けたので、付着物の除去効率を向上できると共に、除去片の損傷やワイヤロープの切断が防止でき、それでいて設置スペースを小さくできる。
【発明を実施するための最良の形態】
【００１６】
以下、本発明の実施の形態を、図面に基づいて説明する。
【００１７】
図１は、本発明のベルトクリーナ装置を示す斜視図。図２は、図１の正面図。図３は、図１の側面図。図４は、要部を拡大して示す一部を破断した正面図。図５は、除去片とベルトとの関係を示す図４の側面図である。
【００１８】
ベルトクリーナ装置１は、ワイヤロープ２、固定手段３、除去片４、鍔付弾性ブッシュ５とからその主要部が構成されて居り、製鉄所や鉱山等で一般的に使われているベルトコンベア５０に適用される。
【００１９】
ベルトコンベア５０は、前後に離間された始端及び終端のプーリ（始端のプーリは、図示せず）５１と、これらに掛渡されたベルト５２と、終端のプーリ５１の近傍に設けられた補助プーリ５３と、終端のプーリ５１の外側に設けられたシュート５４と、一方のプーリを所定方向に回転させる回転駆動機（図示せず）とを備えている。
【００２０】
ワイヤロープ２は、ベルト５２の送り方向Ａに対して所定角度θだけ傾斜して配されたもので、この例では、ベルトコンベア５０の終端のプーリ５１に対向して配された単一のものにしてあり、その両端は、シュート５４の左右の側壁５５に形成された窓穴５６から外側に挿通されている。ワイヤロープ２は、複数本のステンレス鋼線を撚り合せた直径５〜１０ｍｍ程度のものが使用されて居り、その長さはコンベアベルト５０の横幅寸法等に応じて適宜に選定されている。所定角度θは、６０〜８０度であるのが好ましく、この例では、７０度にしてある。所定角度θが８０度より大きくなると、ベルト５２と除去片４との接触抵抗が増大して振動が生じ易くなり、逆に、所定角度θが６０度より小さくなると、除去片４に依る付着物の除去効率が低下する。
【００２１】
固定手段３は、ワイヤロープ２を固定側に緊張して固定する為のもので、この例では、ワイヤロープ２の両端に設けられる二つのものから成って居り、シュート５４の左右の側壁５５等の固定側に設けられた固定ブラケット６と、これに調整移動可能に設けられた可動ブラケット７と、これに挿通されてワイヤロープ２の一端を引張る為のボルト状の引き棒８と、これに螺合されて可動ブラケット７に対して調整移動可能にする為のナット９と、引き棒８の先部にこれに並列固定されてワイヤロープ２の一端が挿通される筒体１０と、これに対してワイヤロープ２の抜け止めを行う為の抜け止め具１１と、筒体１０とワイヤロープ２間に位置される筒部１２とこれの片側に連設されて筒体１０と抜け止め具１１間に位置される鍔部１３とを備えた鍔付弾性ブッシュ１４と、を具有している。
【００２２】
可動ブラケット７は、一方（上位）のものが固定ブラケット６に対して前後方向に調整移動可能に設けられていると共に、他方（下位）のものが固定ブラケット６に対して上下方向に調整移動可能に設けられている。下位の固定手段３の可動ブラケット７とナット９との間には、ワイヤロープ２に常時張力を与える為のスプリング１５が介設されていると共に、スプリング１５とナット９との間には、スプリング受け１６が介装されている。
【００２３】
鍔付弾性ブッシュ１４は、後述する鍔付弾性ブッシュ５と同じものを用いている。
【００２４】
除去片４は、ワイヤロープ２に挿通されてベルト５２に接触して付着物を除去し得る多数のもので、この例では、側面が略平行四辺形を呈し、中央にはワイヤロープ２が挿通される貫孔１７が穿設されていると共に、ベルト５２に接触する側とその反対側には凹部１８が形成されている。つまり、除去片４は、反対称形に形成されて居り、貫孔１７を中心に１８０度回転する事に依り他方の凹部１８もベルト５２と対向する様にしてある。除去片４は、耐熱性や耐摩耗性に優れたＡｌ2Ｏ3系のセラミックスに依り作製されている。凹部１８は、略Ｖ型を呈し、ベルト５２への接触面積を減少させると共に、除去片４の上下端縁にエッジ１９を形成する為に設けられている。
【００２５】
鍔付弾性ブッシュ５は、ワイヤロープ２と除去片４間に位置される筒部２０とこれの片側に連設されて隣接する除去片４間に位置される鍔部２１とを備えたもので、この例では、ゴム等の弾性材料で作製されて居り、耐摩耗性に優れて硬度が８０°のニトリルゴム（ＮＢＲ）にしてある。
【００２６】
最外端の除去片４及び鍔付弾性ブッシュ５の外側のワイヤロープ２には、これらがワイヤロープ６に沿って移動しない様に固定具２２が設けられている。固定具２２は、ワイヤロープ２に挿通されるワッシャ２３及び適数のパイプ２０と、ワイヤロープ２に止結される抜け止め具２５とを備えている。
【００２７】
次に、この様な構成に基づいてその作用を述解する。
【００２８】
図４に示す如く、除去片４の貫孔１７には、予め鍔付弾性ブッシュ５が嵌挿されて居り、これらは、ベルトコンベア５０のベルト５２の横幅に呼応して多数のものが用意され、ワイヤローブ２が鍔付弾性ブッシュ５の中空部に挿通された後に、隣接して配置される事に依り組み立てられる。この時、最外端に位置する除去片４及び鍔付弾性ブッシュ５の外側には、固定具２２が設けられてこれらがワイヤロープ２に沿って移動しない様にされる。
【００２９】
そして、この様に組み立てられたものは、図１及び図２に示す如く、ベルトコンベア５０の終端のプーリ５１の前側に、ベルト５２の送り方向Ａに対して所定角度θだけ傾斜して配置される。ワイヤロープ２の両端は、固定手段３に依りシュート５４の側壁５５に固定されると共に、各除去片４の一方の凹部１８側は、ベルト５２に接触される。
【００３０】
多数の除去片４は、一方の凹部１８側がベルト５２に接触されてベルト５２の送り方向Ａに対抗する端縁つまりエッジ１９に依りベルト５２に付着された付着物が掻き取られて除去される。
【００３１】
隣接する除去片４間には、鍔付弾性ブッシュ５の鍔部２１に依りベルト５２の送り方向Ａに対して所定角度θだけ傾斜された隙間Ｂが形成されているので、掻取抵抗が減少される。
【００３２】
隙間Ｂは、ベルト５２の送り方向Ａに対して所定角度θだけ傾斜して形成されているので、斑なく掻取る事ができ、掻取能力が低下される事がない。
【００３３】
ワイヤロープ２の可撓性と鍔付弾性ブッシュ５の弾性に依り各除去片４がベルト５２に弾力的に接触されるので、ベルト５２の幅方向の全範囲に亘って均一な掻取効果を発揮する事ができる。
【００３４】
除去片４は、鍔付弾性ブッシュ５を介してワイヤロープ２に回転可能に支持されているので、ベルト５２との接触時の抵抗が過大になると、ワイヤロープ２を軸芯として１８０度回転し、反対側の凹部１８側がベルト５２に接触し、以前と同じ状態で付着物の除去を行う事ができる。その結果、過大な接触抵抗等に依って除去片４が破損する惧れがない。
【００３５】
ベルトクリーナ装置１は、ベルトコンベア５０の終端のプーリ５１に対向して配されているので、プーリ５１を利用してこれとの間でベルト５２を挟持しながら付着物を除去する事ができ、別途専用の受ローラ等を設ける必要がない。
【００３６】
各除去片４のワイヤロープ２挿通箇所には、鍔付弾性ブッシュ５が設けられているので、各除去片４がワイヤロープ２に直接接触しないと共に、隣接する除去片４同士も直接接触せず、除去片４が損傷したりワイヤロープ２が切断する事がない。
【００３７】
鍔付弾性ブッシュ５は、各除去片４のワイヤロープ２挿通箇所に設けられているので、製作が容易であると共に、装置全体が嵩張る事がなく、この為に大きな設置スペースを必要としない。
【００３８】
固定手段３は、固定側に調整移動可能に設けられてワイヤロープ２の一端を引張る為の引き棒８と、これの先部にこれに並列固定されてワイヤロープ２の一端が挿通される筒体１０と、これに対してワイヤロープ２の抜け止めを行う為の抜け止め具１１と、筒体１０とワイヤロープ２間に位置される筒部１２とこれの片側に連設されて筒体１０と抜け止め具１１間に位置される鍔部１３とを備えた鍔付弾性ブッシュ１４と、を具有しているので、例えば図８に示す固定手段６０の如く、引き棒６１の先部に直径方向に穿設された貫孔６２にワイヤロープ６３の一端を挿通した後に抜け止め具６４に依り抜け止めする場合に比べて、ワイヤロープ２が直角に折り曲げられる事がないので、ワイヤロープ２の切断を防止できる。筒体１０には鍔付弾性ブッシュ１４が設けられてワイヤロープ２や抜け止め具１１が筒体１０に直接接触しない様にしたので、これらの損傷を防止する事ができる。
【００３９】
除去片４は、側面が略平行四辺形を呈し、中央にはワイヤロープ２が挿通される貫孔１７が穿設されていると共に、ベルト５２に接触する側とその反対側には凹部１８が形成されているので、除去片４の二つの側に依り付着物の除去を行う事ができ、極めて効率的である。
【００４０】
鍔付弾性ブッシュ５は、一体成形されて除去片４の貫孔１７にその筒部２０を嵌挿するだけであるので、接着剤等を用いる必要がなく、作製や組立を簡素化できる。
【００４１】
尚、除去片４は、先の例では、セラミックス製であったが、これに限らず、例えば高硬度で耐摩耗性に優れたＷＣ−Ｃｏ系超硬合金製等でも良い。
【００４２】
除去片４は、先の例では、側面が略平行四辺形を呈していたが、これに限らず、例えば図６及び図７に示す如く、側面が略へ字型を呈し、中央にはワイヤロープ２が挿通される貫孔１７が穿設されていると共に、ベルト５２に接触する側のみに凹部１８が形成されているものでも良い。
【図面の簡単な説明】
【００４３】
【図１】本発明のベルトクリーナ装置を示す斜視図。
【図２】図１の正面図。
【図３】図１の側面図。
【図４】要部を拡大して示す一部を破断した正面図。
【図５】除去片とベルトとの関係を示す図４の側面図。
【図６】除去片の他の例を示す斜視図。
【図７】除去片とベルトとの関係を示す図６の側面図。
【図８】従来の固定手段の一部を示す斜視図。
【符号の説明】
【００４４】
１…ベルトクリーナ装置、２…ワイヤロープ、３…固定手段、４…除去片、５…鍔付弾性ブッシュ、６…固定ブラケット、７…可動ブラケット、８…引き棒、９…ナット、１０…筒体、１１…抜け止め具、１２…筒部、１３…鍔部、１４…鍔付弾性ブッシュ、１５…スプリング、１６…スプリング受け、１７…貫孔、１８…凹部、１９…エッジ、２０…筒部、２１…鍔部、２２…固定具、２３…ワッシャ、２４…パイプ、２５…抜け止め具、５０…ベルトコンベア、５１…プーリ、５２…ベルト、５３…補助プーリ、５４…シュート、５５…側壁、５６…窓穴、６０…固定手段、６１…引き棒、６２…貫孔、６３…ワイヤロープ、６４…抜け止め具、Ａ…送り方向、Ｂ…隙間、θ…所定角度。
【図１】
2007145494.tif 000003
【図２】
2007145494.tif 000004
【図３】
2007145494.tif 000005
【図４】
2007145494.tif 000006
【図５】
2007145494.tif 000007
【図６】
2007145494.tif 000008
【図７】
2007145494.tif 000009
【図８】
2007145494.tif 000010